(57)【要約】【課題】化粧品などの容器に貼り付けられるラベルにおいて、容器内に収納された物品とこの物品に関する各種の情報を同時に見えるようにする。【解決手段】窓付きラベルＬは、裏面全体に接着層を有する透明のメインシート１と、メインシート１裏面の左右両側にそれぞれ接着され、裏面に接着層を有する不透明のサブシート２とを備え、メインシート１の各サブシート２の間の中間部を容器内の物品又は容器表面に付された表示を透過するための窓１０とし、各サブシート２の表面を物品に関する各種の情報を表示するための情報表示部２０とした。【選択図】図１
0003203888.tif 000002
【実用新案登録請求の範囲】
【請求項１】
各種の物品を収納する容器に貼り付けられ、前記物品に関する各種の情報を表示するラベルであって、
裏面全体に接着層を有する透明のメインシートと、
前記メインシート裏面の上下両端及び／又は左右両側にそれぞれ接着され、裏面に接着層を有する不透明のサブシートと、
を備え、
前記メインシートの前記各サブシートの間の中間部を前記容器内の前記物品又は前記容器表面に付された表示を透過するための窓とし、前記各サブシートの表面を前記物品に関する各種の情報を表示するための情報表示部とした、
ことを特徴とする窓付きラベル。
【請求項２】
メインシートは略四角形又は略円形若しくは略楕円形又は略四角形で一部を曲線に代えた若しくは略円形で一部を直線に代えた複合形状に形成される請求項１に記載の窓付きラベル。
【請求項３】
各サブシートは色及び／又は柄を有する素材からなる請求項１又は２に記載の窓付きラベル。
【請求項４】
各サブシートは光沢を有する素材からなる請求項１又は２に記載の窓付きラベル。
【考案の詳細な説明】
【技術分野】
【０００１】
本考案は、化粧品、医薬品などを収容する容器に使用する窓付きラベルに関する。
【背景技術】
【０００２】
一般に、化粧品が収納された容器には化粧品に関する各種の情報を表示されたラベルが貼り付けられている。
この種の容器が特許文献１などに開示されている。
この文献１の容器では、ラベルは不透明のシートからなり、シートの表面に各種の情報が表示されて、容器の底面に貼り付けられる。
【０００３】
また、医薬品の包装容器には薬剤に関する様々な情報を記載されたラベルが貼り付けられている。
この種の容器が特許文献２などに開示されている。
この文献の容器２では、ラベルは非透視性で、表面に薬品情報が表示され、裏面に注意・警告情報が表示されて、容器の胴部に巻き付けられる。
【先行技術文献】
【特許文献】
【０００４】
【特許文献１】実用新案登録第３１４５６６２号公報
【特許文献２】実用新案登録第３１４１５０５号公報
【考案の概要】
【考案が解決しようとする課題】
【０００５】
このようにこの種の容器に使用されるラベルは不透明で、これが容器の表面に貼り付けられるので、当然のことながら、このラベルにより容器の内部を見ることができない。
例えば、化粧品の容器が四角形の透明ケースで、このケースの中に化粧品が化粧用具とともに収納されている場合、ケース内のものをケースの天面を通して見せることで、ユーザーはケース内のものを即時に確認することができ、延いてはユーザーの視覚に訴えて購買意欲を高めることができる。しかしながら、この場合、化粧品に関する情報が表示されたラベルをケースの天面に貼ってしまうと、ケース内部のものを見ることができない。そこで、ラベルはケースの底面に貼り付けられることになる。このため、ユーザーはケース内の化粧品を見るときはケースの天面から、化粧品に関する情報を見るときはケースの底面のラベルからとなり、ケース内のものとその情報を同時に見ることができない。
また、医薬品の場合も同様で、医薬品の容器が透明のビンで、このビンの中に医薬品が収納されている場合、ビン内のものをビンを通して見ることで、ユーザーはビン内のものを即時に確認することができる。しかしながら、この場合、医薬品に関する情報が表示されたラベルは、通常、ビン胴部の周囲に巻き付けられるため、ユーザーがビン内の医薬品を見るときはラベルのないところから、医薬品に関する情報を見るときはビン周囲のラベルからとなり、ビン内のものとその情報を同時に見ることができない。
【０００６】
本考案は、このような従来の問題を解決するものであり、この種の容器のラベルにおいて、容器内に収納された各種の物品とこの物品に関する各種の情報を同時に見えるようにすること、を目的とする。
【課題を解決するための手段】
【０００７】
上記目的を達成するために、本考案は、
各種の物品を収納する容器に貼り付けられ、前記物品に関する各種の情報を表示するラベルであって、
裏面全体に接着層を有する透明のメインシートと、
前記メインシート裏面の上下両端及び／又は左右両側にそれぞれ接着され、裏面に接着層を有する不透明のサブシートと、
を備え、
前記メインシートの前記各サブシートの間の中間部を前記容器内の前記物品又は前記容器表面に付された表示を透過するための窓とし、前記各サブシートの表面を前記物品に関する各種の情報を表示するための情報表示部とした、
ことを要旨とする。
また、この窓付きラベルは、さらに次のような構成を備えることが好ましい。
（１）メインシートは略四角形又は略円形若しくは略楕円形又は略四角形で一部を曲線に代えた若しくは略円形で一部を直線に代えた複合形状に形成される。
（２）各サブシートは色及び／又は柄を有する素材からなる。
（３）各サブシートは光沢を有する素材からなる。
【考案の効果】
【０００８】
本考案の窓付きラベルによれば、透明のメインシートと、メインシート裏面の上下両端及び／又は左右両側にそれぞれ接着される不透明のサブシートとからなり、メインシートの各サブシートの間の中間部を容器内の物品又は容器表面に付された表示を透過するための窓とし、各サブシートの表面を物品に関する各種の情報を表示するための情報表示部としたので、窓付きラベルの情報表示部に物品に関する各種の情報を表示して、このラベルを物品を収納する容器に貼り付けることで、ユーザーは、このラベルの窓を通して容器内の物品や容器表面に付された表示を見ることができ、同時に、この窓の近傍に表示された物品に関する各種の情報を見ることができる、という本考案独自の格別な効果を奏する。
【図面の簡単な説明】
【０００９】
【図１】本考案の第１の実施の形態における窓付きラベルの構成を示す図（（Ａ）は断面図（Ｂ）は平面図）
【図２】同ラベルの構成を示す図（正面図）
【図３】同ラベルの構成を示す図（背面図）
【図４】同ラベルの構成を示す図（右側面図）
【図５】同ラベルの構成を示す図（左側面図）
【図６】同ラベルの構成を示す図（平面図）
【図７】同ラベルの構成を示す図（底面図）
【図８】同ラベルをロール状にした場合の外観を示す図（斜視図）
【図９】本考案の第２の実施の形態における窓付きラベルの構成を示す図（正面図）
【図１０】同ラベルの構成を示す図（背面図）
【図１１】同ラベルの構成を示す図（右側面図）
【図１２】同ラベルの構成を示す図（左側面図）
【図１３】同ラベルの構成を示す図（平面図）
【図１４】同ラベルの構成を示す図（底面図）
【図１５】本考案の第３の実施の形態における窓付きラベルの構成を示す図（正面図）
【図１６】同ラベルの構成を示す図（背面図）
【図１７】同ラベルの構成を示す図（右側面図）
【図１８】同ラベルの構成を示す図（左側面図）
【図１９】同ラベルの構成を示す図（平面図）
【図２０】同ラベルの構成を示す図（底面図）
【考案を実施するための形態】
【００１０】
次に、この考案を実施するための形態について図を用いて説明する。
図１乃至図７に第１の実施の形態を示している。
【００１１】
図１及び図２から図７に示すように、窓付きラベルＬ（以下、単にラベルＬという。）は、各種の物品を収納する容器に貼り付けられ、物品に関する各種の情報を表示するもので、このラベルＬでは、特に、裏面全体に接着層を有する透明のメインシート１と、このメインシート１裏面の左右両側にそれぞれ接着され、裏面に接着層を有する不透明のサブシート２とを備え、メインシート１の各サブシート２の間の中間部を容器内の物品又は容器表面に付された表示を透過するための窓１０とし、各サブシート２の表面を物品に関する各種の情報を表示するための情報表示部２０としている。
【００１２】
メインシート１はプラスチックフィルムにより略四角形に形成される。
この場合、メインシート１は、厚さ２５μのＰＥＴ（ポリエチレンテレフタレート）フィルムにより、角丸で横長の四角形に形成される。このメインシート１の裏面全域に糊が塗布される。
【００１３】
各サブシート２は色（白色を含む。）を有し、さらに、光沢を有する素材からなる。
この場合、各サブシート２はアルミ蒸着フィルム（ＰＥＴフィルムの表面にアルミ蒸着を施した素材）やホイル紙（紙材の上にアルミ箔を貼り合わせた素材）、アート紙などが用いられ、メインシート１の左右両側の所定の範囲（左右両側縁部から内方に向けて所定の範囲）に対応する大きさ、形状に形成される。ここで各サブシート２は縦長の略四角形に形成され、メインシート１の角部に対応する角部は角丸としてある。各サブシート２の裏面全域に糊が塗布される。
【００１４】
そして、メインシート１下面の左右両側にそれぞれ、各サブシート２が接着されて、ラベルＬが形成され、メインシート１、各サブシート２の裏面（接着面）は剥離紙３で保護される。
なお、このラベルＬは、通常、図８に示すように、一連の長い剥離紙３に貼り合わされてロール状にしてある。
このようにしてラベルＬはメインシート１のサブシート２が接着されていない中間部が透明で窓１０に、メインシート１の裏面に貼り付けられた各サブシート２の表面が物品に関する情報表示部２０になっていて、情報表示部２０には、予め（メインシート１とサブシート２との貼り合わせ前に）、各種物品に関する情報が樹脂凸版印刷方式などにより印刷されてメインシート１の左右両側に表示される。
なお、このラベルＬの容器への貼り方は、容器の形状にもよるが、容器がケース形、ボックス形であれば、その平たい面に平たく貼る、２面に跨って略Ｌ字形に貼る、３面に跨って略コ字形に貼る方法がある。また、容器がビンであれば、その胴部に巻き付けて貼ることになる。
【００１５】
続いて、このラベルＬの使用方法について説明する。
このラベルＬは、予め、情報表示部２０、すなわち、サブシート２の表面に、商品名、商品に関する説明、キャッチコピーなど各種の物品に関する情報が印刷により表示され、各種の物品を収納する容器に貼り付けられて、使用される。容器が透明であれば、ユーザーは、このラベルＬの窓１０を通して容器内の物品を見ることができ、同時に、この窓１０の近傍の情報表示部２０に表示された物品に関する各種の情報を見ることができる。この場合、各サブシート２にビビッドカラーの素材が用いられることにより、ラベルＬの部分を強調することができ、白色など明るい色の素材にすれば、物品の各種の情報を読みやすくすることができる。また、この場合、各サブシート２に光沢を有する素材が用いられることにより、この光沢がＰＥＴフィルムからなるメインシート１を通してさらに増して、ラベルＬの美観を増大させることができる。なお、各サブシート２に光沢のない素材が用いられても、この素材はＰＥＴフィルムからなるメインシート１を通して光沢が出るので、サブシート２は必ずしも光沢を有するものでなくてもよい。
このラベルＬは、例えば、化粧品を入れる容器に用いられると好適である。
例えば、化粧品メーカーから、試供品用のファンデーションをブラシなどの付属品とともに透明プラスチック製の平たいケースに収納して提供し、この試供品を、ユーザーに、ケースの天面を通して、ケース内のファンデーションや付属品を見せることで、視覚的に訴える場合を考える。
この場合、この試供品にラベルＬを適用し、情報表示部２０にファンデーションの商品面、商品説明、キャッチコピーなどを表示して、このラベルＬをケースの天面に平たく貼り付ける。
このようにするとユーザーは、このラベルＬの窓１０を通してケース内のファンデーションや付属のブラシを見ることができ、同時に、この窓１０の近傍に表示されたファンデーションに関する各種の情報を見ることができる。ユーザーは、この商品と情報の両方を視認することで、即時に、商品を評価することができる。
また、例えば化粧品をシリーズ化し、それぞれの化粧品を共通の表示（例えば、シリーズの名称）を施された共通の箱に入れて提供する場合を考える。
この場合、この共通の箱にラベルＬを適用し、情報表示部２０に化粧品毎の名称、商品説明、キャッチコピーなどを表示して、このラベルＬを、ラベルＬの窓１０と箱の共通の表示とを合せて箱に貼り付ける。このとき、箱の全体の大きさや各部の大きさによって、ラベルＬを箱の１面に平たく貼り付けてもよく、箱の２面に跨って略Ｌ字形に貼り付けてもよく、箱の３面に跨って略コ字形に貼り付けてもよい。
このようにするとユーザーは、このラベルＬの窓１０を通して箱の共通の表示を見ることができ、同時に、この窓１０の近傍に表示された化粧品毎の各種の情報を見ることができる。ユーザーは、この共通の表示と情報の両方を視認することで、即時に、商品を評価することができる。
なお、化粧品のケースや箱の場合、ビビッドカラーや光沢と調和するので、各サブシート２にビビッドカラーの素材や光沢を有する素材を用いることで、化粧品のケースや箱の一部にビビッドカラーや光沢を付すことができ、ケースや箱それ自体の美観を向上させることができる。
【００１６】
以上説明したように、このラベルＬによれば、透明のメインシート１と、メインシート１裏面の左右両側にそれぞれ接着される不透明のサブシート２とからなり、メインシート１の中間部を容器内の物品又は容器表面に付された表示を透過するための窓１０とし、各サブシート２の表面を物品に関する各種の情報を表示するための情報表示部２０としたので、ラベルＬの情報表示部２０に物品に関する各種の情報を表示して、このラベルＬを物品を収納する容器に貼り付けることで、ユーザーは、このラベルＬの窓１０を通して容器内の物品や容器表面に付された表示を見ると同時に、この窓１０の近傍に表示された物品に関する各種の情報を見ることができる。したがって、ユーザーは、当該物品について知りたい情報を素早く得ることができ、また、当該物品の良否を即時に評価したりすることができる。
また、このラベルＬでは、各サブシート２に色を有する素材や光沢を有する素材が用いられることで、ラベルＬの見栄えを変化させて、ユーザーの注目を集めるなどの視覚的効果を発揮することができる。
【００１７】
なお、この実施の形態では、サブシート２はメインシート１裏面の左右両側に接着されるものとして例示したが、メインシート１裏面の上下両端に接着されるものとしてもよく、さらに、メインシート１裏面の上下両端及び左右両側に接着されるものとしてもよい。
また、各サブシート２は色（白色を含む。）を有する素材からなるものとしたが、柄を有するものであってもよい。
このようにしても上記実施の形態と同様の作用効果を得ることができる。
【００１８】
さらに、この実施の形態では、メインシート１は略四角形に形成されるものとして例示したが、このメインシート１は略円形若しくは略楕円形又は略四角形で一部を曲線に代えた若しくは略円形で一部を直線に代えた複合形状に形成されてもよい。この場合、サブシート２はメインシート１の上下両端部及び／又は左右両側部の形状に合わせて変更される。
図９乃至図１４に本考案の第２の実施の形態としてメインシート１が楕円形の場合を例示している。
図１５乃至図２０に本考案の第３の実施の形態としてメインシート１が略四角形で一部を曲線に代えた複合形状の場合を例示している。
このようにしても上記実施の形態と同様の作用効果を得ることができる。
【符号の説明】
【００１９】
Ｌ  窓付きラベル
１  メインシート
１０  窓
２  サブシート
２０  情報表示部
３  剥離紙
【図４】
0003203888.tif 000003
【図６】
0003203888.tif 000004
【図７】
0003203888.tif 000005
【図１１】
0003203888.tif 000006
【図１２】
0003203888.tif 000007
【図１３】
0003203888.tif 000008
【図１４】
0003203888.tif 000009
【図１７】
0003203888.tif 000010
【図１８】
0003203888.tif 000011
【図１９】
0003203888.tif 000012
【図２０】
0003203888.tif 000013
【図１】
0003203888.tif 000014
【図２】
0003203888.tif 000015
【図３】
0003203888.tif 000016
【図５】
0003203888.tif 000017
【図８】
0003203888.tif 000018
【図９】
0003203888.tif 000019
【図１０】
0003203888.tif 000020
【図１５】
0003203888.tif 000021
【図１６】
0003203888.tif 000022